(57)【要約】【課題】被挟持軸部材に対するロック及び被挟持軸部材からのロック解除（固定箇所からの着脱）が簡単に行える、合成樹脂材料で一体に成形されたＣ形ロック部品を提供することにある。【解決手段】合成樹脂材料で一体に成形されたＣ形ロック部品であって、対向する一対の挟持片部１，２の相互間に被挟持軸部材をその外周部から弾性的に挟持して拘束するＣ形挟持部５を有することを特徴とする。【選択図】      図１
2007211826.tif 000002
【特許請求の範囲】
【請求項１】
合成樹脂材料で一体に成形されたＣ形ロック部品であって、対向する一対の挟持片部の相互間に被挟持軸部材をその外周部から弾性的に挟持して拘束するＣ形挟持部を有することを特徴とするＣ形ロック部品。
【請求項２】
前記Ｃ形挟持部の開口側における前記一対の挟持片部間には外部に開口する入口が設けられ、前記開口側と反対側における前記一対の挟持片部間には前記Ｃ形挟持部を縮径方向に付勢するばね部が設けられていることを特徴とする請求項１に記載のＣ形ロック部品。
【請求項３】
前記一対の挟持片部におけるばね側端には摘み工具の受け部が設けられ、この受け部を摘み工具によって摘み、前記ばね部の付勢力に抗して前記一対の挟持片部を回動すると、前記Ｃ形挟持部が拡径して被挟持軸部材の拘束状態が開放される構成としたことを特徴とする請求項２に記載のＣ形ロック部品。
【請求項４】
前記入口の開口端幅が、工具把持をしない自由状態において、前記被挟持軸部材の外径より狭く形成され、摘み工具によって受け部を摘み、ばね部の付勢力に抗して一対の挟持片部を回動すると、前記入口が拡幅されて被挟持軸部材の通過が可能となる構成としたことを特徴とする請求項２に記載のＣ形ロック部品。
【請求項５】
前記一対の挟持片部における入口形成面部が外開きのテーパー面とされ、この外開きテーパー面による前記入口の開口端幅が被挟持軸部材の外径より広く形成され、被挟持軸部材に対するロック部品の押し込みによって前記入口及びＣ形挟持部がテーパー面の誘導拡開作用で拡幅し且つ拡径して、被挟持軸部材の通過が可能となる構成としたことを特徴とする請求項２に記載のＣ形ロック部品。
【請求項６】
前記ばね部は、前記一対の挟持片部と一体に成形された板ばね形状であり、Ｃ形挟持部の底部を形成する円弧状の主ばねと、この主ばねと対向離間し前記挟持片部間を連結する円弧状の増強板ばねとの二重板ばね構成となっていることを特徴とする請求項２に記載のＣ形ロック部品。
【発明の詳細な説明】
【技術分野】
【０００１】
この発明は、例えば小ねじのようなねじ部品のナット代用品として、或いは前記ねじ部品に類似する係止ピンのような止め具の軸部ロック部品として、若しくは玩具用シャフトのような各種軸部材の軸部ロック部品として、或いはこれらに類似する他部品を被挟持軸部材とした軸部ロック部品として使用する、合成樹脂製のＣ形ロック部品に関する。
【背景技術】
【０００２】
従来、ロボット玩具のような部材組立にねじ部品とナットを使用すること、前記ナットの代用品として或いは前記ねじ部品に類似する係止ピンのような止め具の軸部ロック部品として若しくは玩具用シャフトのような各種軸部材の軸部ロック部品として或いはこれらに類似する他部品を被挟持軸部材とした軸部ロック部品として、被挟持軸部材（前記ねじ部品、前記止め具、玩具用シャフト等を被挟持軸部材とする）の軸部に圧入固定されるゴム管止めを用いることは知られている。
【発明の開示】
【発明が解決しようとする課題】
【０００３】
しかし、前記従来のナットではねじ回し操作が必要なため、ロック解除及び固定箇所からの着脱が困難になること、前記ナットは一般に金属製であるから合成樹脂製の玩具部材の軸受スペーサとして使用することはできないこと等の問題があった。
【０００４】
また、前記従来のゴム管止めでは、玩具部材の充分な固定強度が確保できないこと、被挟持軸部材に軸方向から圧入して取付けるので玩具部材の組立て後に、その玩具部材間に回動部の軸受スペーサとして挿入保持させることはできないこと等の問題があった。
【０００５】
この発明は、前記事情に着目してなされたもので、その目的とするところは、被挟持軸部材に対するロック及び被挟持軸部材からのロック解除（固定箇所からの着脱）が簡単に行える、合成樹脂材料で一体に成形されたＣ形ロック部品を提供することにある。
【課題を解決するための手段】
【０００６】
この発明は、前記の目的を達成するために、請求項１の合成樹脂材料で一体に成形されたＣ形ロック部品は、対向する一対の挟持片部１，２の相互間に被挟持軸部材３をその外周部から弾性的に挟持して拘束するＣ形挟持部５を有することを特徴とする。
【０００７】
請求項２のＣ形ロック部品は、Ｃ形挟持部５の開口側における一対の挟持片部１，２間に外部に開口する入口６が設けられ、前記開口側と反対側における一対の挟持片部１，２間に前記Ｃ形挟持部５を縮径方向に付勢するばね部７が設けられていることを特徴とする。
【０００８】
請求項３のＣ形ロック部品は、一対の挟持片部１，２におけるばね側端に摘み工具１１の受け部１ａ，２ａが設けられ、この受け部を摘み工具１１によって摘み、前記ばね部７の付勢力に抗して一対の挟持片部１，２を回動すると、Ｃ形挟持部５が拡径して被挟持軸部材３の拘束状態が開放される構成とした。
【０００９】
また請求項４のＣ形ロック部品は、前記入口６の開口端幅ｄが、工具把持をしない自由状態において、前記被挟持軸部材３の外径より狭く形成され、摘み工具１１によって受け部１ａ，２ａを摘み、ばね部７の付勢力に抗して一対の挟持片部１，２を回動すると、前記入口６が拡幅されて被挟持軸部材３の通過が可能となる構成とした。
【００１０】
請求項５のＣ形ロック部品は、一対の挟持片部１，２における入口形成面部が外開きのテーパー面とされ、この外開きテーパー面６ａ，６ｂによる前記入口６の開口端幅ｄが被挟持軸部材３の外径より広く形成され、被挟持軸部材３に対するロック部品１０ｂの押し込みによって、前記入口６及びＣ形挟持部５がテーパー面６ａ，６ｂの誘導拡開作用で拡幅し且つ拡径して、被挟持軸部材３の通過が可能となる構成とした。
【００１１】
なお、前記ばね部７は一枚の板ばね構成のものであっても良いが、請求項６のＣ形ロック部品においては、一対の挟持片部１，２と一体に成形された板ばね形状であって、Ｃ形挟持部５の底部を形成する円弧状の主ばね７ａと、この主ばねと対向離間し前記挟持片部１，２間を連結する円弧状の増強板ばね７ｂとの二重板ばね構成とした。
【発明の効果】
【００１２】
前記構成のＣ形ロック部品は、小ねじ等の被挟持軸部材３に軸方向と直交する方向から挿入して、Ｃ形挟持部の弾性的な縮径作用で締着固定させることができるので、被挟持軸部材３に対するロック及び被挟持軸部材３からのロック解除（固定箇所からの着脱）が従来のナットに比べ簡単に行える。また、前記ロック部品は合成樹脂の一体成形品であるから、組立玩具等に使用される合成樹脂製の軸受スペーサとして、部材間の回動部分に介入して使用することも可能である。
【発明を実施するための最良の形態】
【００１３】
以下、この発明の実施の形態を図面に従い具体的に説明する。
【００１４】
図１はこの発明の第１の実施例に係るＣ形ロック部品の拡大平面図、図２は図１のＡ―Ａ線に沿う中央縦断面図、図３はロボット玩具のような玩具組立に使用する例を示した使用状態の説明図、図４はこの発明のＣ形ロック部品を摘み工具によって拡開している状態の作用説明図である。
【００１５】
この第１の実施例におけるＣ形ロック部品１０は、耐摩耗性・滑り性・適度の弾性を有する合成樹脂例えばポリエチレンやポリプロピレン等の合成樹脂材料で一体に成形されたものであって、左右に対向する一対の挟持片部１，２の相互間に被挟持軸部材３をその外周部から弾性的に挟持して拘束するＣ形挟持部５を有する。
【００１６】
なお、前記被挟持軸部材３は例えばロボット玩具のリンク部材４Ａ，４Ｂを図３の如く回動可能に連結する小ねじ３ａと、前記リンク部材４Ａに対し別のリンク部材４Ｃを適当な位置で枢支連結する小ねじ３ｂを対象としているが、この小ねじ３ａ，３ｂの頭部ａ，ｂのような係止部を有する無螺子の軸部材（前記ねじ部品３ａ，３ｂに類似する係止ピンのような止め具）であっても、玩具用シャフトのような各種軸部材であっても、或いはこれらに類似する他部品を被挟持軸部材としたものであってもよい。
【００１７】
前記Ｃ形挟持部５の開口側における一対の挟持片部１，２間には、外部に開口する入口６が設けられ、前記開口側と反対側における一対の挟持片部間１，２には前記Ｃ形挟持部５を縮径方向に付勢するばね部７が設けられている。
【００１８】
前記一対の挟持片部１，２におけるばね側端には、摘み工具１１の受け部１ａ，２ａが設けられ、この受け部１ａ，２ａを小先口ペンチ（例えばラジオペンチ）のような摘み工具１１によって摘み、前記ばね部７の付勢力に抗して一対の挟持片部１，２を回動すると、Ｃ形挟持部５及び前記入口６が図４の如く拡径し且つ拡開して被挟持軸部材３の拘束状態が開放され、被挟持軸部材３のＣ形挟持部５への通過が可能となるように構成されている。
【００１９】
更に説明すれば、前記一対の挟持片部１，２における入口６は、その入口形成面部が外開きのテーパー面とされ、この外開きテーパー面６ａ，６ｂによる前記入口６の開口端幅ｄが、工具把持をしない自由状態（製品成形状態）において、被挟持軸部材３の外径より狭く形成され、摘み工具１１によって受け部１ａ，２ａを摘み、ばね部７の付勢力に抗して一対の挟持片部１，２を回動すると、前記入口６が拡幅され且つ前記Ｃ形挟持部５が図４の如く拡径して被挟持軸部材３の通過が可能となる。
【００２０】
なお、この実施例の場合、例えば前記被挟持軸部材３の直径（外径）が３ｍｍ、Ｃ形挟持部５の内径が２．７ｍｍ、Ｃ形挟持部５の入口６への開口部幅が２ｍｍ、前記入口の開口端幅ｄが２．８ｍｍに設計されている。
【００２１】
前記ばね部７は、一対の挟持片部１，２と一体に成形された板ばね形状であり、Ｃ形挟持部５の底部を形成する１ｍｍ位の厚さをもった円弧状の主ばね７ａと、この主ばね７ａと対向離間し前記挟持片部１，２（工具受け部１ａ，２ａ）間を連結する円弧状の増強板ばね７ｂとの二重板ばね構成となっている。なお、増強板ばね７ｂは、その厚さが０．５ｍｍ位であり、板ばね幅は主ばね７ａの板ばね幅より狭い１．５ｍｍ位の寸法に設計されている。
【００２２】
前記のように構成されたＣ形ロック部品１０は、被挟持軸部材３（例えば前記小ねじ３ａ，３ｂ）の軸止め部に軸直交方向から図3の如く挿入して、玩具部材例えばリンク部材４Ａ，４Ｂ及びリンク部材４Ａ，４Ｃの結合に使用され、また前記玩具部材（リンク部材４Ａ，４Ｂ）間に小ねじ３ａによるリンク回動部の軸受スペーサ１０ｓとして図3の如く介在させて使用する。このような軸受スペーサ１０ｓとしての使用を考慮して、前記Ｃ形ロック部品１０の厚さｔは小ねじ頭部ａ，ｂの高さと略同じ寸法（前記実施例では２．８ｍｍ）に設計されている。
【００２３】
前記構成のＣ形ロック部品１０は図５に示すような多数個取り成形品１２として一体に射出成形される。この多数個取り成形品１２は方形のランナー枠１３に例えば１２個のＣ形ロック部品１０を等間隔で成形付着させた構成ものであって、前記ランナー枠１３にはＣ形ロック部品１０のＣ形挟持部５の内径と略同径の外径を有した突軸状の部品差込部１４が一定の間隔で図５、図６の如く突設され、使用残余の余分なＣ形ロック部品１０をランナー枠１３の部品差込部１４に図６の如く差込み、紛失を防止できるように構成している。なお、前記ランナー枠１３の中央部には玩具用の軸部品１５として利用される切取りランナーが一体的に設けられている。
【００２４】
図７は第２の実施例に係るＣ形ロック部品の拡大平面図を示す。
【００２５】
この第２実施例に係るＣ形ロック部品１０ａは、一対の挟持片部１，２における入口６の両側面がＣ形挟持部５の開口幅と同じ間隔で対向する平行面６Ｃ，６ｄで形成されていること、この入口６の開口端幅が、工具把持をしない自由状態において、Ｃ形挟持部５の開口幅と同じ開口幅に形成され、摘み工具１１によって受け部１ａ，２ａを摘み、ばね部７の付勢力に抗して一対の挟持片部１，２を回動すると、前記入口６が拡幅されて被挟持軸部材３の通過が可能となっていることが、前記第１実施例と相違している。その他の構成は前記第１実施例と同様であるから、同一部分に同符号を付して詳細な説明は省略する。
【００２６】
図８は第３の実施例に係るＣ形ロック部品の拡大平面図を示す。
【００２７】
この第３実施例に係るＣ形ロック部品１０ｂは、一対の挟持片部１，２における入口６の形成面部が外開きのテーパー面とされ、この外開きテーパー面６ａ，６ｂによる前記入口６の開口端幅ｄが被挟持軸部材３の外径より広く形成されていること、被挟持軸部材３に対するロック部品１０ｂの押し込みによって前記入口３及びＣ形挟持部５がテーパー面６ａ，６ｂの誘導拡開作用で拡幅し且つ拡径して、被挟持軸部材３の通過が可能となっていることが、前記第１実施例と相違している。その他の構成は前記第１実施例と同様であるから、同一部分に同符号を付して詳細な説明は省略する。この実施例の場合には、摘み工具１１を使った装着方法の他に、ロック部品１０ｂを手で持って被挟持軸部材３に強く押し込むという装着方法を適用することが可能となる。
【００２８】
なお、この発明は前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【図面の簡単な説明】
【００２９】
【図１】この発明の第１の実施例に係るＣ形ロック部品の拡大平面図。
【図２】図１のＡ―Ａ線に沿う中央縦断面図。
【図３】ロボット玩具のような玩具組立に使用する例を示した使用状態の説明図。
【図４】前記Ｃ形ロック部品を摘み工具によって拡開している状態の作用説明図。
【図５】前記Ｃ形ロック部品を成形する場合の多数個取り成形品を示した平面図。
【図６】図５の多数個取り成形品における部品差込突起部を示したランナー部分図。
【図７】この発明の第２の実施例に係るＣ形ロック部品の拡大平面図。
【図８】この発明の第３の実施例に係るＣ形ロック部品の拡大平面図。
【符号の説明】
【００３０】
１，２…一対の挟持片部、１ａ，２ａ…受け部、３…被挟持軸部材、３ａ，３ｂ…小ねじ、５…Ｃ形挟持部、６…入口、ｄ…入口の開口端幅、６ａ，６ｂ…外開きテーパー面、７…ばね部、７ａ…主ばね、７ｂ…増強板ばね、１１…摘み工具。
【図１】
2007211826.tif 000003
【図２】
2007211826.tif 000004
【図３】
2007211826.tif 000005
【図４】
2007211826.tif 000006
【図５】
2007211826.tif 000007
【図６】
2007211826.tif 000008
【図７】
2007211826.tif 000009
【図８】
2007211826.tif 000010